(57)【要約】      （修正有）【課題】使用時に人肌に近い触感を提供し、迫真感と快適性をさらに向上させることができる発熱補助具を提供する。【解決手段】発熱補助具は、柱状本体１０と、発熱部２０とを含む。柱状本体１０は収容体であり、拡大端部１１と、通路開口部１２と、拡大端部１１と通路開口部１２を連通する押圧通路１３とを備える。拡大端部１１は、通気孔１１１を備え、通気孔１１１は、収容体なる柱状本体１０と発熱層なる発熱部２０を貫通して外部と連通することで空気が流入、流出することができる。通路開口部１２は、拡大端部１１から離れており、且つ、押圧通路１３の内径は、拡大端部１１の内径よりも小さい。柱状本体１０は、表層１０ａを備え、発熱部２０は、表層１０ａの少なくとも一部に密着され、表層１０ａが柱状本体１０の内面層である。【選択図】図２
0003214489.tif 000002
【実用新案登録請求の範囲】
【請求項１】
表層を備える柱状本体と、前記表層の少なくとも一部に密着される発熱部とを含むことを特徴とする、発熱補助具。
【請求項２】
上記柱状本体は、拡大端部と、前記拡大端部から離れている通路開口部と、前記拡大端部と前記通路開口部を連通する押圧通路とを備え、前記拡大端部は、貫通する通気孔を備え、前記押圧通路の内径は、前記拡大端部の内径よりも小さく、上記発熱部は、前記押圧通路の内面層に密着され、前記通気孔は、収容体なる前記柱状本体と前記発熱部を貫通して外部と連通することを特徴とする、請求項１に記載の発熱補助具。
【請求項３】
上記柱状本体は、拡大端部と、前記拡大端部から延伸する柱体部とを備え、上記発熱部は、前記柱状本体の上記表層に密着されることを特徴とする、請求項１に記載の発熱補助具。
【考案の詳細な説明】
【技術分野】
【０００１】
本考案は、発熱補助具に関し、特に、使用時に迫真感のある発熱補助具に関するものである。
【背景技術】
【０００２】
現在、生理的欲求を満たし性生活を楽しむための、様々なアダルトグッズが販売されている。しかしながら、従来技術による製品は、簡素な棒状構造のものが多く、人肌に近い触感を提供することができず、迫真感も欠けているため、使用時は十分に楽しむことができず、改善の余地がある。
【考案の概要】
【考案が解決しようとする課題】
【０００３】
本考案は、使用時に人肌に近い触感を提供し、迫真感と快適性をさらに向上させることができる発熱補助具を提供すべくなされたものである。
【課題を解決するための手段】
【０００４】
本考案は、表層を備える柱状本体と、前記表層の少なくとも一部に密着される発熱部とを含む発熱補助具に関するものである。
【考案の効果】
【０００５】
本考案にかかる発熱補助具は、発熱部を配置することで、人体の体温状態を迫真に再現し、使用時の迫真感と快適性をさらに向上させ、性生活をもっと楽しいものにすることができる。
【図面の簡単な説明】
【０００６】
【図１】本考案の実施例１の外観概略図。
【図２】本考案の実施例１の断面構造図。
【図３】本考案の実施例２の外観概略図。
【図４】本考案の実施例２の断面構造図。
【考案を実施するための形態】
【０００７】
以下、本考案の詳細と技術内容について、図面を参照して説明する。
【実施例１】
【０００８】
図１、図２を参照されたい（図１は、本考案の実施例１の外観概略図、図２は同断面構造図）。本実施例にかかる発熱補助具は男性用であり、柱状本体１０と、発熱部２０とを含む。前記柱状本体１０は収容体であり、前記柱状本体１０は、拡大端部１１と、通路開口部１２と、前記拡大端部１１と前記通路開口部１２を連通する押圧通路１３とを備える。前記拡大端部１１は、通気孔１１１を備え、前記通気孔１１１は、収容体なる前記柱状本体１０と発熱層なる前記発熱部２０を貫通して外部と連通することで空気が流入、流出することができる。前記通路開口部１２は、前記拡大端部１１から離れており、且つ、前記押圧通路１３の内径は、前記拡大端部１１の内径よりも小さい。前記柱状本体１０は、表層１０ａを備え、前記発熱部２０は、前記表層１０ａの少なくとも一部に密着され、本実施例では、前記表層１０ａが前記柱状本体１０の内面層である。
【０００９】
また、上記発熱部２０の上記通気孔１１１に近い領域２０１の厚さは、前記通気孔１１１から離れた領域２０２の厚さよりも大きい。例えば、前記通気孔１１１に近くなるに従って漸次厚くなるように設計することができ、前記発熱部２０が厚くなると、より多くの熱を吸収して、より高い温度にし、温かい状態を長く保持することができる。そのため、前記発熱部２０の厚さの変化により、温度を段階的に変化させることで、人体の体温状態を迫真に再現することができる。
【００１０】
また、本考案は、保温層３０を含んでもよい。前記保温層３０は、上記柱状本体１０を被覆しており、且つ上記通気孔１１１は同様に、前記保温層３０を貫通する。前記保温層３０は、熱伝達を遮断できるため、本考案は、前記保温層３０による断熱を利用して、上記発熱部２０の温かい状態をより長く保持して、使用者のニーズを満たすことができる。この他に、前記発熱部２０では、上記押圧通路１３に複数の突起部２３及び複数のシワ部２４を形成することもでき、前記複数の突起部２３と前記複数のシワ部２４による刺激で、種々の触感を生じることができる。
【実施例２】
【００１１】
図３、図４を参照されたい（図３は本考案の実施例２の外観概略図、図４は同断面構造図）。本実施例にかかる発熱補助具は女性用であり、柱状本体１０と、発熱部２０とを含む。前記柱状本体１０は、拡大端部１１と、前記拡大端部１１から延伸する柱体部１４とを備える。前記拡大端部１１は、漸次縮小する円錐状を呈する。前記柱状本体１０は、表層１０ｂを備え、前記発熱部２０は、前記表層１０ｂの少なくとも一部に密着され、本実施例では、前記表層１０ｂが前記柱状本体１０の外面層である。
【００１２】
上記実施例では、上記発熱部２０は発熱層であり、マイクロ波発熱性材料を適用することができる。本考案の一実施例では、前記マイクロ波発熱性材料が炭素材料２１とシリコーンゴム材料２２で作製され、前記炭素材料２１は、前記シリコーンゴム材料２２内に分散されているが、本考案はこれだけに限定されない。その他の実施例では、前記発熱部２０は、発熱効果を備えるその他の材料を適用することもできる。また、本考案の実施例１では、前記発熱部２０の上記通気孔１１１に近い領域２０１に前記炭素材料２１を含有せず、または前記炭素材料２１を低い濃度で含有することもできる。
【００１３】
上記マイクロ波発熱性材料を作製する際、上記炭素材料２１と第１のビニル基含有シリコーンオイルを均一に混合させて炭素材料分散液にする。なお、前記炭素材料２１は、カーボンナノチューブ（Carbon Nanotube、略してCNT）、またはグラフェン（Graphene）とし、且つ前記炭素材料分散液では、前記炭素材料２１の重量比率を０．０１〜１０．０％とする。続いて、前記炭素材料分散液と未硬化状態のシリコーンゴム材料、第２のビニル基含有シリコーンオイル、染色剤（場合によって添加）を混合させてシリコーンゴム混合物にする。なお、前記未硬化状態のシリコーンゴム材料は、互いに分離するＡ剤と、Ｂ剤とを含む。前記Ａ剤とＢ剤と、前記炭素材料分散液、前記第２のビニル基含有シリコーンオイルと前記染色剤を混合させることで、前記シリコーンゴム混合物を形成する。前記シリコーンゴム混合物では、前記炭素材料２１の重量比率を０．００１〜２％とし、前記未硬化状態のシリコーンゴム材料の重量比率を６５〜９５％とし、前記第２のビニル基含有シリコーンオイルの重量比率を５〜３０％とし、前記染色剤の重量比率を０〜５％とする。続いて、前記シリコーンゴム混合物を分散させて室温〜２００℃の間まで加熱して硬化させることで、前記マイクロ波発熱性材料を形成する。
【００１４】
マイクロ波は電離放射線ではないため、放射性を備えない。その周波数は０．３ＧＨｚ〜３００ＧＨｚにあるため、短波のように反射されながらも長波の加熱効果を有する。マクロ波が媒質の表層から進入してその内部で伝播する間、そのエネルギーが、媒質に進入するに従って熱に変換され、しかも選択的に媒質を加熱するという性質を有する。マイクロ波環境の中では、上記炭素材料２１が電磁波を効率的に吸収し熱に変換して、上記マイクロ波発熱性材料を昇温させることができる。
【００１５】
以上からわかるように、本考案にかかる発熱補助具は、発熱部を配置することで、人体の体温状態を迫真に再現し、使用時の迫真感と快適性をさらに向上させ、性生活をもっと楽しいものにすることができる。また、マイクロ波発熱性材料を適用するため、使用時は、電子レンジで加熱しておき、炭素材料にマイクロ波を吸収させて発熱昇温させ、発熱部を温かい状態にすることで、人体の体温状態を迫真に再現し、使用時の迫真感と快適性をさらに向上させ、精子採取効率を高めることができる。また、本考案では、発熱部の厚さが一様でないようにすることで、発熱部の厚さの変化により段階的な温度変化を生じて、使用者のニーズを満たすこともできる。
【図１】
0003214489.tif 000003
【図２】
0003214489.tif 000004
【図３】
0003214489.tif 000005
【図４】
0003214489.tif 000006